(57)【要約】  眼鏡型無線通信機（１）は、左右の接眼部（１１）、パッド（１８）、智（１６）、テンプル（１４）、及び、無線通信を行うためのアンテナ素子（１０５）を備えており、アンテナ素子（１０５）が、接眼部（１１）の外周に沿った領域であって、智（１６）を含み、かつパッド（１８）との接続部を含まない領域に配置されている。
2012086619.tif 000002
【特許請求の範囲】
【請求項１】
左右の接眼部、パッド、智、テンプル、及び、無線通信を行うためのアンテナ素子を備えている眼鏡型無線通信機であって、
前記アンテナ素子が、前記接眼部の外周に沿った領域であって、前記智を含み、かつ前記パッドとの接続部を含まない領域に配置されていることを特徴とする眼鏡型無線通信機。
【請求項２】
前記アンテナ素子の半分以上の部分が、前記パッドよりも前記智に近い位置に配置されていることを特徴とする請求項１に記載の眼鏡型無線通信機。
【請求項３】
前記アンテナ素子には、前記智から前記接眼部の外周に沿って一方向に延びる第１のアンテナ素子が含まれており、
前記第１のアンテナ素子に電力を供給する給電線路は、前記テンプルに設けられている無線部から前記智を介して前記第１のアンテナ素子に接続していることを特徴とする請求項１または２に記載の眼鏡型無線通信機。
【請求項４】
前記アンテナ素子には、前記智から前記接眼部の外周に沿って前記第１のアンテナ素子とは反対方向に延びる第２のアンテナ素子がさらに含まれており、
前記第２のアンテナ素子に電力を供給する給電線路は、前記テンプルに設けられている無線部から前記智を介して前記第２のアンテナ素子に接続していることを特徴とする請求項３に記載の眼鏡型無線通信機。
【請求項５】
前記第１及び第２のアンテナ素子は、ダイポールアンテナを構成することを特徴とする請求項４に記載の眼鏡型無線通信機。
【請求項６】
前記第１及び第２のアンテナ素子は、形状および長さの少なくとも何れかが互いに異なることを特徴とする請求項４に記載の眼鏡型無線通信機。
【請求項７】
前記第１及び第２のアンテナ素子は、ダイバーシチアンテナを構成することを特徴とする請求項４に記載の眼鏡型無線通信機。
【請求項８】
前記アンテナ素子には、前記左右の接眼部のうちの一方の接眼部の外周に沿って配置されている第３のアンテナ素子が含まれており、
前記第３のアンテナ素子に電力を供給する給電線路は、前記左右の接眼部の間に設けられている無線部から前記第３のアンテナ素子に接続していることを特徴とする請求項１または２に記載の眼鏡型無線通信機。
【請求項９】
前記アンテナ素子には、前記第３のアンテナ素子とは異なる接眼部の外周に沿って配置されている第４のアンテナ素子が含まれており、
前記第４のアンテナ素子に電力を供給する給電線路は、前記左右の接眼部の間に設けられている無線部から前記第４のアンテナ素子に接続していることを特徴とする請求項８に記載の眼鏡型無線通信機。
【請求項１０】
前記第３及び第４のアンテナ素子は、夫々、モノポールアンテナを構成することを特徴とする請求項９に記載の眼鏡型無線通信機。
【請求項１１】
前記第３及び第４のアンテナ素子は、形状および長さの少なくとも何れかが互いに異なることを特徴とする請求項９に記載の眼鏡型無線通信機。
【請求項１２】
前記第３及び第４のアンテナ素子は、ダイバーシチアンテナを構成することを特徴とする請求項９に記載の眼鏡型無線通信機。
【請求項１３】
前記接眼部の周りを囲むリムを備え、
前記アンテナ素子の少なくとも一部は、前記接眼部と、前記リムとの間に配置されていることを特徴とする請求項１〜１２の何れか１項に記載の眼鏡型無線通信機。
【請求項１４】
前記接眼部の周りを囲むリムを備え、
前記アンテナ素子の少なくとも一部は、前記リムの中に形成されていることを特徴とする請求項１〜１２の何れか１項に記載の眼鏡型無線通信機。
【発明の詳細な説明】
【技術分野】
【０００１】
本発明は、眼鏡型無線通信機に関する。
【背景技術】
【０００２】
近年、３Ｄテレビを視聴するための３Ｄ眼鏡、３Ｄゲームを楽しむための３Ｄ眼鏡及び眼鏡型のヘッドマウントディスプレイ等、眼鏡の体裁を有する電子機器が開発されている。これらの電子機器は、アンテナを備え、無線通信を行う場合がある。【０００３】
従来、アンテナを備えた眼鏡型の無線通信機としては、例えば、特許文献１〜２に記載のような、眼鏡のフレームにアンテナを配置したものが知られている。すなわち、特許文献１には、レンズフレームの略中央部分の近傍にアンテナを配置する技術が記載されている。また、特許文献２には、テンプル部にアンテナを組み込むことが記載されている。
【先行技術文献】
【特許文献】
【０００４】
【特許文献１】日本国公開特許公報「特開２００７−１７４６１２号公報（平成１９年７月５日公開）」
【特許文献２】日本国公開実用新案公報「実開昭６２−１９３２２０号公報（昭和６２年１２月８日公開）」
【発明の概要】
【発明が解決しようとする課題】
【０００５】
しかしながら、従来技術に係る眼鏡型の無線通信機では、アンテナ特性が劣化する場合がある。【０００６】
図９及び図１０は、従来技術に係る眼鏡型の無線通信機におけるアンテナのビームの概略の放射方向（ビーム方向）の例を示す模式図である。【０００７】
特許文献１に記載のような眼鏡型の無線通信機では、アンテナのアンテナ素子９０は、図９（ａ）に示すように、ユーザの鼻の近傍にある。この場合、アンテナ素子９０がユーザの顔の前方にあるため、図９（ｂ）に示すように、アンテナ素子９０が送受信できるビーム方向の範囲は、ユーザの頭部の影響を受け、アンテナ素子９０を中心に、ユーザの顔の前面方向の空間（全方向の半分程度の空間）になる。【０００８】
また、特許文献２に記載のような眼鏡型の無線通信機では、アンテナのアンテナ素子９０は、図１０（ａ）に示すように、ユーザの耳の近傍にある。この場合、アンテナ素子９０がユーザの顔の側面にあるため、図１０（ｂ）に示すように、アンテナ素子９０が送受信できるビーム方向の範囲は、ユーザの頭部の影響を受け、アンテナ素子９０を中心に、ユーザの顔の側面方向の空間（全方向の半分程度の空間）になる。【０００９】
このように、従来技術では、アンテナのビーム方向が顔の前面方向または側面方向となるため、電波の到来方向次第では、送受信特性が低下するという問題がある。また、アンテナは、頭部に近接するため、アンテナ利得が低下するという問題がある。【００１０】
本発明は、上記問題に鑑みてなされたものであり、その主たる目的は、アンテナ利得がよい眼鏡型無線通信機を実現することにある。
【課題を解決するための手段】
【００１１】
上記課題を解決するために、本発明に係る眼鏡型無線通信機は、左右の接眼部、パッド、智、テンプル、及び、無線通信を行うためのアンテナ素子を備えている眼鏡型無線通信機であって、前記アンテナ素子が、前記接眼部の外周部に沿った領域であって、前記智を含み、かつ前記パッドとの接続部を含まない領域に配置されていることを特徴としている。【００１２】
上記構成によれば、ユーザの頭部の影響によるシャドウイングが低減され、アンテナの開放空間が広がる。すなわち、アンテナのビーム方向の制限が緩和され、電波の到来方向による送受信性能の劣化が解消されるという効果を奏する。【００１３】
すなわち、アンテナ素子を、前記接眼部の外周に沿った領域であって、前記智を含み、かつ前記パッドとの接続部を含まない領域に配置することにより、眼鏡において頭部に最も接近する部位（例えば、パッドおよびテンプル）を避け、頭部から離れており、ユーザの頭部の影響によるシャドウイングが低減され得る位置にアンテナ素子を配置することができるため、アンテナ利得が向上するという効果を奏する。
【発明の効果】
【００１４】
本発明に係る眼鏡型無線通信機によれば、ユーザの頭部の影響によるシャドウイングが低減され、電波の到来方向による送受信性能の劣化が解消される。また、アンテナ素子が頭部から離れた場所に位置するため、アンテナ利得が向上する。
【図面の簡単な説明】
【００１５】
【図１】実施形態１における眼鏡型無線通信機の内部構成の一例を示す図である。
【図２】眼鏡型無線通信機の概観図である。
【図３】図１の眼鏡型無線通信機のアンテナのビーム方向の一例を示す図である。
【図４】眼鏡型無線通信機の内部構成の他の例を示す図である。
【図５】図１の眼鏡型無線通信機の周波数に対するアンテナ利得を表したグラフである。
【図６】実施形態２における眼鏡型無線通信機の内部構成の一例を示す図である。
【図７】図６の眼鏡型無線通信機のアンテナのビーム方向の一例を示す図である。
【図８】実施形態２における眼鏡型無線通信機の内部構成の他の例を示す図である。
【図９】（ａ）は、アンテナ素子が前面に配置されたときの眼鏡型無線通信機の一例を示し、（ｂ）は、（ａ）のアンテナ素子のビーム方向の一例を示す。
【図１０】（ａ）は、アンテナ素子が側面に配置されたときの眼鏡型無線通信機の一例を示し、（ｂ）は、（ａ）のアンテナ素子のビーム方向の一例を示す。
【図１１】一変形例におけるアンテナ素子の配置を示す図である。
【発明を実施するための形態】
【００１６】
以下、本発明の実施の形態について、詳細に説明する。本発明に係る眼鏡型無線通信機は、眼鏡の体裁を有し、無線通信を行うものであれば、特に限定されず、３Ｄ眼鏡、ヘッドマウントディスプレイ、ヘッドセット、ラジオ受信機、個人識別装置等様々な用途に適用し得る。
〔実施形態１〕
以下、本発明の一実施形態（実施形態１）について、図１から図５を参照して説明すれば、以下のとおりである。
【００１７】
（眼鏡型無線通信機１の概略）
図２は、本実施形態における眼鏡型無線通信機１の概観図である。図２に示すように、眼鏡型無線通信機１は、眼鏡の体裁を有しており、接眼部１１、リム１２、ブリッジ１３、テンプル１４、モダン１５、智１６、蝶番１７、パッド１８、及び、クリングス１９などを有する。
【００１８】
接眼部１１は、左右の目の前に配置される光学部材であり、例えば、眼鏡型のレンズであり得、ＬＣＤ（Ｌｉｑｕｉｄ  Ｃｒｙｓｔａｌ  Ｄｉｓｐｌａｙ）、網膜操作ディスプレイなど、画像を表示するためのディスプレイに組み込まれているものであってもよい。
【００１９】
リム１２は、接眼部１１の周りを囲んで接眼部１１を保持する保持部材である。リム１２は、必ずしも接眼部１１の周りの全てを保護している必要はなく、接眼部１１の略半分、または一部のみを保護するものであってもよい。また、眼鏡型無線通信機１は、リム１２を備えていなくともよい。
【００２０】
ブリッジ１３は、左右の接眼部１１を連結するための連結部材である。ブリッジ１３は、リム１２を介して、または介さずに、左右の接眼部１１を所定の位置関係にて連結する。
【００２１】
テンプル１４は、耳掛けを含んだ部材であり、ツルとも称される。また、テンプル１４において、ユーザの耳に接する部分を、モダン１５と称される被覆部材が被覆している場合もある。
【００２２】
智１６は、接眼部１１とテンプル１４とを接続するための接続部材である。智１６は、接眼部１１の外周に沿った領域に設けられており、リム１２と一体化されていてもよいし、独立して接眼部に結合していてもよい。
【００２３】
蝶番１７は、接眼部１１等に対してテンプル１４を折りたたみ可能にするための開閉部材であり、智１６とテンプル１４との間に設けられている。
【００２４】
パッド１８は、ユーザの鼻に接する部材である。
【００２５】
クリングス１９は、パッド１８と接眼部１１とを連結する連結部材である。クリングス１９は、リム１２を介して、または介さずに、パッド１８と接眼部１１とを所定の位置関係にて連結する。また、眼鏡型無線通信機１は、クリングス１９を備えていなくともよく、その場合、パッド１８と接眼部１１またはリム１２とは直接結合され得る。
【００２６】
なお、各部は、例えば、一般の眼鏡と同じ材料で構成してもよいが、これに限定されない。例えば、リム１２、ブリッジ１３、及び、テンプル１４の材料としては、例えば、金属（例えば、チタン、チタン合金、アルミニウム合金、マグネシウム合金、ニッケルクロム合金、及び、ステンレスなど）、プラスチック（例えば、エポキシ樹脂、セルロイド、アセテート、及び、ポリアミドなど）等を用いることができるが、これに限定されない。
【００２７】
（眼鏡型無線通信機１の内部構成）
次に、眼鏡型無線通信機１の内部構成について、図１を参照して説明する。図１は、眼鏡型無線通信機１の内部構成を示す図である。なお、図１では、リム１２を含まない構成の眼鏡型無線通信機について説明するが、本実施形態はこれに限定されず、リム１２を含む構成であってもよい。但し、本実施形態において、リム１２を設ける場合には、リム１２は、プラスチック等の絶縁体によって構成することが好ましい。これにより、アンテナ特性をより向上させることができる。
【００２８】
図１に示すように、眼鏡型無線通信機１は、アンテナ１００を有している。アンテナ１００は、アンテナ１００に電力を供給する電源部１０１、電気信号を制御する制御部１０２、アンテナ素子１０５を介してデータの送受信を行う無線部１０３、電源部１０１からの電力をアンテナ素子１０５に供給する給電線路１０４、及び、アンテナ素子１０５を備えた、ダイポールアンテナである。
【００２９】
図１に示すように、電源部１０１、制御部１０２、及び、無線部１０３は、テンプル１４に配置されている。給電線路１０４は、テンプル１４から智１６を介し、アンテナ素子１０５に接続している。
【００３０】
アンテナ素子１０５は、智１６を中心に、接眼部１１の外周に沿って配置されている。アンテナ素子１０５は、智１６から接眼部１１の鉛直上部側に延びるアンテナ素子（第１のアンテナ素子）１０５ａと、智１６から接眼部１１の鉛直下部側に延びるアンテナ素子（第２のアンテナ素子）１０５ｂとから構成される。つまり、アンテナ素子１０５ａ及び１０５ｂは、対になって智１６を挟むように配置されている。なお、接眼部１１の外周とは、ユーザの眼に対向する面における外周を指す。
【００３１】
なお、本実施形態では、アンテナ素子１０５は、図１に示すように接眼部１１の側端面に配置されているが、本発明はこれに限定されない。例えば、図１１に示すように、アンテナ素子１０５は、接眼部１１におけるユーザの眼に対向する面（レンズ面）上に設けられていてもよい。また、接眼部の外周をリムが囲んでいる場合、アンテナ素子１０５は、接眼部１１とリム１２との間に設けられていてもよいし、リム１２の内部または外部に設けられていてもよい。このように、本発明において、アンテナ素子１０５は、接眼部１１の外周に沿って配置されていればよく、設置される先の部材および面は特に限定されない。但し、アンテナ素子１０５の少なくとも一部を、接眼部１１とリム１２との間、または、リム１２の中に形成することにより、アンテナ素子１０５が外部に露出することがないため、眼鏡型無線通信機１の美観、及び耐久性を向上させることができる。また、アンテナ素子１０５が突き出すなど、眼鏡の体裁が崩れることを好適に防ぐことができる。
【００３２】
また、本実施形態では、アンテナ素子１０５ａ及び１０５ｂは、図１に示すように、何れも角が丸くなったＬ字形状を有している。しかしながら、他の実施形態において、アンテナ素子１０５ａ及びアンテナ素子１０５ｂは、形状および長さの少なくとも何れかが互いに異なってもよい。アンテナ素子をこのように構成することにより、２つのアンテナの共振周波数を異ならせることができるため、複数の周波数帯に対応させることができる。
【００３３】
なお、図１では、アンテナ素子１０５は、眼鏡型無線通信機１の左の接眼部１１の外周に沿うように配置されているが、アンテナ素子１０５は右の接眼部１１の外周に沿うように配置されていても良い。また、アンテナ素子１０５は、顔に接するパッド１８との接続部（クリングス１９との接続部）には配置されない。つまり、アンテナ素子１０５は、パッド１８との接続部を除く左右の接眼部１１の少なくとも一方の外周に沿うように配置されている。
【００３４】
このように、アンテナ素子１０５ａおよび１０５ｂは、夫々、接眼部１１の外周に沿った領域であって、智１６を含み、かつパッド１８との接続部を含まない領域に配置されており、智１６から接眼部１１の外周に沿って互いに異なる方向に延びている。アンテナ素子１０５ａおよび１０５ｂの配置領域を、接眼部１１の外周に沿った領域であって、智１６を含み、かつパッド１８との接続部を含まない領域とすることにより、アンテナ素子１０５ａおよび１０５ｂを、ユーザの頭から遠く、後述するように、ユーザの頭部の影響によるシャドウイングが低減され得る場所に配置することができる。
【００３５】
ここで、アンテナ素子１０５（アンテナ素子１０５ａ及び１０５ｂ）の半分以上の部分が、眼鏡型無線通信機１の智１６側に配置されている。詳細に述べれば、アンテナ素子１０５の半分以上の体積を占める部分が、パッド１８に比べて、給電線路１０４が設けられている智１６の方に近い位置に配置されている。図１に示す眼鏡型無線通信機１では、アンテナ素子１０５は、およそ５分の４が、智１６側に配置されている。
【００３６】
（眼鏡型無線通信機１の効果）
図１の眼鏡型無線通信機１を用いた場合の、ビーム方向の範囲を図３に示す。
【００３７】
図３（ａ）は、眼鏡型無線通信機１を使用した時のユーザの顔を斜めから見たときの一例を示す図であり、（ｂ）は、ユーザを真上から見た場合のアンテナ素子１０５のビーム方向の図を示す。
【００３８】
図３（ａ）に示すように、眼鏡型無線通信機１のアンテナ素子１０５は、智１６を含み、かつパッド１８との接続部を含まない領域に配置されている。すなわち、アンテナ素子１０５が、ユーザの頭部を上から見たときの外延部に配置されることになり、アンテナ素子１０５の概略のビーム方向は、図３（ｂ）に示すように、アンテナ素子１０５を中心に、ユーザの顔の前面の方向と側面と方向とに及ぶ。このように、本実施形態に係る眼鏡型無線通信機１では、図９及び図１０に示すような従来技術に係る眼鏡型の無線通信機に比べ、ユーザの頭部の影響によるシャドウイングが低減されており、アンテナの開放空間が広がっている。これにより、アンテナのビーム方向の制限が緩和され、電波の到来方向による送受信性能の劣化が解消される。
【００３９】
次に、図１の眼鏡型無線通信機１のアンテナ１００のアンテナ利得を、図５を用いて説明する。図５は、周波数に対するアンテナ利得を示すグラフであり、アンテナ１００のアンテナ利得を実線で示し、図９のように配置されたアンテナ９０のアンテナ利得を点線で示す。また、図５において、横軸は周波数（ＭＨｚ）を示し、縦軸はアンテナ利得（ｄＢｉ）を示す。
【００４０】
図５に示すとおり、アンテナ１００のアンテナ利得は、アンテナ９０のアンテナ利得と比べ高くなっていることがわかる。これは、アンテナ素子１０５が、智１６を含み、かつパッド１８との接続部を含まない領域に配置されていることにより、アンテナ素子１０５が頭部から離れた場所に位置するため、ユーザの頭部のＧＮＤとしての影響が低減し、アンテナ利得が向上するためである。特に、アンテナ素子１０５は、パッド１８、テンプル１４といったユーザに直接接触する場所には設けられていない。これにより、好適にアンテナ利得を向上させることができる。
【００４１】
また、アンテナ１００（のアンテナ素子１０５ａ及び１０５ｂ）は、ダイポールアンテナを構成する。このように、アンテナ１００がダイポールアンテナとして働くことにより、ＧＮＤの形状（眼鏡型無線通信機１の形状）の影響を低減することができる。また、アンテナ１００がダイポールアンテナとして働くことにより、アンテナ１００のビームの方向の制御が容易になり、ユーザの顔の正面方向へのビームを絞ることができる。これによって、アンテナ１００のアンテナ特性をより向上することができる。
【００４２】
また、アンテナ素子１０５ａ及びアンテナ素子１０５ｂは、ダイバーシチアンテナを構成してもよい。このように、アンテナ素子１０５ａとアンテナ素子１０５ｂとでＭＩＭＯ等のダイバーシチアンテナを構成することにより、さらに送受信特性を向上させることができる。
【００４３】
（変形例）
また、上記では、アンテナ素子１０５を２つのアンテナ素子（アンテナ素子１０５ａ及び１０５ｂ）から構成する場合について説明したが、本発明はこれに限定されず、例えば、モノポールアンテナとして使用することになるが、アンテナ素子１０５は、智１６の上方に設けられたもの（アンテナ素子１０５ａ）、及び、智１６の下方に設けられたもの（アンテナ素子１０５ｂ）の何れか一つであってもよい。この場合であっても、上述したように、アンテナ素子１０５は、ユーザの頭部の影響によるシャドウイングを低減することができる位置に配置されているため、良好なアンテナ特性を得ることができる。
【００４４】
また、更なるアンテナ素子を備えていてもよい。
【００４５】
なお、アンテナ素子１０５（のアンテナ素子１０５ａ及び１０５ｂ）の長さは、図１に示すものに限定されず、パッド１８との接続部を除く接眼部１１の外周に沿った領域に配置されていると共に、アンテナ素子１０５が、智１６を含み、かつパッド１８との接続部を含まない領域に配置されている限り、無線通信を行う周波数帯に応じて適宜長さを設定することができる。
【００４６】
図４は、図１に示す眼鏡型無線通信機１よりも使用周波数帯が高い眼鏡型無線通信機１’の概略構成を示す図である。図４に示すように、アンテナ１００’のアンテナ素子１０５’の長さは、図１のアンテナ素子１０５の長さより短い。このようなアンテナ素子１０５’は、全てが智１６側に配置されている（アンテナ素子１０５ａ及び１０５ｂの全体が、パッド１８に比べて、智１６の方に近い位置に配置されている）。
【００４７】
このような眼鏡型無線通信機１’においても、眼鏡型無線通信機１と同様、図３に示すようなビーム方向の範囲を有し、電波の到来方向による送受信性能の劣化が解消される。また、アンテナ素子１０５’がユーザの頭部から離れた場所に位置するため、アンテナ利得が向上する。
【００４８】
〔実施形態２〕
本発明の他の実施形態（実施形態２）について、図６から図８を参照して説明する。
【００４９】
実施形態１では、智１６を中心に接眼部１１の上部及び下部にアンテナ素子１０５が配置されているアンテナ１００を有した眼鏡型無線通信機１について説明を行ったが、本発明はこれに限定されない。例えば、眼鏡型無線通信機１は、ブリッジ１３を中心に接眼部１１の上部及び／または下部にアンテナ素子が配置されているアンテナを有していてもよい。
【００５０】
本実施形態では、ブリッジ１３を中心に左右の接眼部１１夫々の上部及び／または下部にアンテナ素子２０５が配置されている眼鏡型無線通信機２について説明を行う。なお、本実施形態において、接眼部１１、リム１２、ブリッジ１３、テンプル１４、モダン１５、智１６、蝶番１７、パッド１８、及び、クリングス１９といった部材は、実施形態１と同様の構成を有する。
【００５１】
（眼鏡型無線通信機２の内部構成）
眼鏡型無線通信機２の内部構成について、図６を参照して説明する。図６は、眼鏡型無線通信機２の内部構成を示す図である。なお、図６では、眼鏡型無線通信機２がリム１２を含む構成について説明するが、本実施形態に係る眼鏡型無線通信機２は、リム１２を含まない構成であってもよい。また、本実施形態において、リム１２は、金属によって構成され得る。
【００５２】
図６に示すように、眼鏡型無線通信機２は、アンテナ２００を有している。アンテナ２００は、電源部２０１、制御部２０２、無線部２０３、給電線路２０４、及び、アンテナ素子２０５を備えている。なお、アンテナ２００の各部はアンテナ１００の各部と同様の処理を行う。また、アンテナ２００は、リム１２、ブリッジ１３等の金属部を接地素子（ＧＮＤ）とした２つのモノポールアンテナから構成される。
【００５３】
図６に示すように、電源部２０１、制御部２０２、及び、無線部２０３は、接眼部１１の間（ブリッジ１３）に配置されている。給電線路２０４は、左右の接眼部１１の間に位置するブリッジ１３からリム１２を介してアンテナ素子２０５に接続している。
【００５４】
アンテナ素子２０５は、ブリッジ１３を中心に、左右の接眼部１１の鉛直上部側の各々に配置されている。アンテナ素子１０５は、左の接眼部１１の外周に沿うように配置されたアンテナ素子（第３のアンテナ素子）２０５Ｌと、右の接眼部１１の外周に沿うように配置されたアンテナ素子（第４のアンテナ素子）２０５Ｒとから構成される。
【００５５】
図６に示すように、アンテナ素子２０５Ｌは、左の接眼部１１の上部に配置され、アンテナ素子２０５Ｒは、右の接眼部１１の上部に配置されている。つまり、アンテナ素子２０５は、ブリッジ１３を中心に左右の接眼部１１の各々の鉛直上部側の外周に沿って配置されている。
【００５６】
また、アンテナ素子２０５は、智１６を含み、かつパッド１８との接続部を含まない領域に配置されている。特に、アンテナ素子２０５の体積の半分以上を占める部分が、パッド１８よりも智１６に近い位置に配置されていることが好ましい。図６に示すように、アンテナ素子２０５（アンテナ素子２０５Ｌ及び２０５Ｒ）は、智１６を含む領域に設けられているとともに、およそ５分の４が智１６側に配置されている。
【００５７】
なお、アンテナ素子２０５の半分以上の部分が智１６側に配置されているとは、詳細に述べれば、アンテナ素子２０５Ｌの半分以上の体積を占める部分が、パッド１８よりも、アンテナ素子２０５Ｌが配置されている左の接眼部１１の側部に設けられた智１６の方に近い位置に配置されており、アンテナ素子２０５Ｒの半分以上の部分が、パッド１８よりも、アンテナ素子２０５Ｒが配置されている右の接眼部１１の側部に設けられた智１６の方に近い位置に配置されていることを指す。
【００５８】
（眼鏡型無線通信機２の効果）
図６の眼鏡型無線通信機２を用いた場合の、ビーム方向の概略の範囲を図７に示す。
【００５９】
図７（ａ）は、眼鏡型無線通信機２を使用した時のユーザの顔を斜めから見たときの一例を示す図であり、（ｂ）は、ユーザを真上から見た場合のアンテナ素子２０５のビーム方向の図を示す。
【００６０】
図７（ａ）に示すように、眼鏡型無線通信機２のアンテナ素子２０５は、眼鏡型無線通信機２の両サイドに夫々設けられ、智１６を含み、かつパッド１８との接続部を含まない領域に配置されている。すなわち、アンテナ素子２０５が、ユーザの頭部を上から見たときの外延部の両サイドに配置されることになり、このときのアンテナ素子２０５のビーム方向は、図７（ｂ）に示すように、左右のアンテナ素子を中心に、ユーザの顔の周囲のほぼ全方向に及ぶ。
【００６１】
このように、本実施形態に係る眼鏡型無線通信機２では、図９及び図１０に示すような従来技術に係る眼鏡型の無線通信機、及び、実施形態１に係る眼鏡型無線通信機１に比べ、ユーザの頭部の影響によるシャドウイングが低減されており、アンテナの開放空間が広がっている。これにより、アンテナのビーム方向の制限がより緩和され、電波の到来方向による送受信性能の劣化が好適に解消される。これにより、アンテナ素子２０５によって送受信する無線の強度を増強することができる。
【００６２】
また、実施形態１に係る眼鏡型無線通信機１と同様、智１６を含み、かつパッド１８との接続部を含まない領域に配置されていることにより、アンテナ素子２０５が頭部から離れた場所に位置するため、ユーザの頭部のＧＮＤとしての影響が低減し、アンテナ利得が向上する。特に、アンテナ素子２０５は、パッド１８、テンプル１４といったユーザに直接接触する場所には設けられていない。これにより、好適にアンテナ利得を向上させることができる。
【００６３】
なお、アンテナ素子２０５Ｒ及びアンテナ素子２０５Ｌは、ダイバーシチアンテナを構成してもよい。このように、アンテナ素子２０５Ｒとアンテナ素子２０５ＬとでＭＩＭＯ等のダイバーシチアンテナを構成することにより、さらに送受信特性を向上させることができる。
【００６４】
（変形例）
図６では、アンテナ素子２０５Ｒ及びアンテナ素子２０５Ｌは、同じ形状であるように描写されているが、本発明はこれに限定されず、アンテナ素子２０５Ｒ及びアンテナ素子２０５Ｌを、形状および長さの少なくとも何れかが互いに異なるように構成することにより、２つのアンテナの共振周波数を異ならせ、複数の周波数帯に対応させてもよい。
【００６５】
また、上記では、アンテナ素子２０５を２つのアンテナ素子（アンテナ素子２０５Ｒ及び２０５Ｌ）から構成する構成について説明したが、本発明はこれに限定されず、例えば、アンテナの開放空間は減少するが、アンテナ素子２０５は、右の接眼部に設けられたもの（アンテナ素子２０５Ｒ、２０５Ｒ’）及び左の接眼部に設けられたもの（アンテナ素子２０５Ｌ、２０５Ｌ’）の何れか一つであってもよい。
【００６６】
また、さらなるアンテナ素子を備えていてもよい。例えば、実施形態１のアンテナ１００と、実施形態２のアンテナ２００とを組み合わせてもよい。すなわち、実施形態２に係る眼鏡型無線通信機２において、アンテナ素子１０５及び無線部１０３を更に備えていてもよい。
【００６７】
なお、図６に示す眼鏡型無線通信機２では、アンテナ素子２０５が左右の接眼部１１の鉛直上部側の外周に沿うように配置されているが、アンテナ素子２０５は、鉛直下部側の外周に沿うように配置されてもよい。また、一方は、接眼部１１の鉛直上部側の外周に沿うように配置され、他方は、接眼部１１の鉛直下部側の外周に沿うように配置されるという、左右非対称な配置であってもよい。
【００６８】
図８に、アンテナ素子２０５Ｒ’が接眼部１１の鉛直上部側の外周に沿うように配置され、アンテナ素子２０５Ｌ’が接眼部１１の鉛直下部側の外周に沿うように配置された眼鏡型無線通信機２’（のアンテナ２００’及びアンテナ素子２０５’）を示す。図８に示すように、アンテナ素子２０５Ｒ’は、右の接眼部１１の鉛直上部側の外周に沿うように配置され、アンテナ素子２０５Ｌ’は、左の接眼部１１の鉛直下部側の外周に沿うように配置されている。
【００６９】
このような眼鏡型無線通信機２’においても、眼鏡型無線通信機２と同様、図７に示すようなビーム方向の範囲を有し、電波の到来方向による送受信性能の劣化が解消される。また、アンテナ素子２０５’がユーザの頭部から離れた場所に位置するため、アンテナ利得が向上する。
【００７０】
なお、前述したようにまた、実施形態１及び２において、接眼部１１の外周を囲むリム１２を備え、アンテナ素子１０５及びアンテナ素子２０５の少なくとも一部が、接眼部１１とリム１２との間に設けられていてもよいし、リムの内部または外部に設けられていてもよい。このように、本発明において、アンテナ素子１０５及びアンテナ素子２０５は、接眼部１１の外周に沿って配置されていればよく、設置される先の部材および面は特に限定されない。但し、アンテナ素子１０５及びアンテナ素子２０５の少なくとも一部を、接眼部１１とリム１２との間、または、リム１２の中に形成することにより、アンテナ素子１０５及びアンテナ素子２０５が外部に露出することがないため、眼鏡型無線通信機１及び眼鏡型無線通信機２の美観、及び耐久性を向上させることができる。また、アンテナ素子１０５及びアンテナ素子２０５が突き出すなど、眼鏡の体裁が崩れることを好適に防ぐことができる。
【００７１】
（本発明の好ましい形態）
以上のように、本発明に係る眼鏡型無線通信機は、左右の接眼部、パッド、智、テンプル、及び、無線通信を行うためのアンテナ素子を備えている眼鏡型無線通信機であって、前記アンテナ素子が、前記接眼部の外周部に沿った領域であって、前記智を含み、かつ前記パッドとの接続部を含まない領域に配置されていることを特徴としている。
【００７２】
上記構成によれば、ユーザの頭部の影響によるシャドウイングが低減され、アンテナの開放空間が広がる。すなわち、アンテナのビーム方向の制限が緩和され、電波の到来方向による送受信性能の劣化が解消されるという効果を奏する。
【００７３】
すなわち、アンテナ素子を、前記接眼部の外周に沿った領域であって、前記智を含み、かつ前記パッドとの接続部を含まない領域に配置することにより、眼鏡において頭部に最も接近する部位（例えば、パッドおよびテンプル）を避け、頭部から離れており、ユーザの頭部の影響によるシャドウイングが低減され得る位置にアンテナ素子を配置することができるため、アンテナ利得が向上するという効果を奏する。
【００７４】
また、本発明に係る眼鏡型無線通信機では、前記アンテナ素子の半分以上の部分が、前記パッドよりも前記智に近い位置に配置されていることが好ましい。
【００７５】
上記構成によれば、アンテナ素子の半分以上の体積を占める部分が、よりユーザの頭部の影響によるシャドウイングが低減され得る智側に位置するため、好適にアンテナ利得を向上させることができる。
【００７６】
また、本発明に係る眼鏡型無線通信機では、前記アンテナ素子には、前記智から前記接眼部の外周に沿って一方向に延びる第１のアンテナ素子が含まれており、前記第１のアンテナ素子に電力を供給する給電線路は、前記テンプルに設けられている無線部から前記智を介して前記第１のアンテナ素子に接続していてもよい。
【００７７】
上記構成によれば、テンプルに無線部を実装した場合であっても、ユーザの頭部の影響によるシャドウイングが低減され得る場所にアンテナ素子を設けることができるため、電波の到来方向による送受信性能の劣化の解消、アンテナ利得の向上といった効果を好適に得ることができる。
【００７８】
また、上記眼鏡型無線通信機では、前記アンテナ素子には、前記智から前記接眼部の外周に沿って前記第１のアンテナ素子とは反対方向に延びる第２のアンテナ素子がさらに含まれており、前記第２のアンテナ素子に電力を供給する給電線路は、前記テンプルに設けられている無線部から前記智を介して前記第２のアンテナ素子に接続していてもよい。
【００７９】
上記構成によれば、テンプルに無線部を実装した場合であっても、ユーザの頭部の影響によるシャドウイングが低減され得る場所にアンテナ素子を設けることができるため、電波の到来方向による送受信性能の劣化の解消、アンテナ利得の向上といった効果を好適に得ることができるほか、ダイポールアンテナを容易に構成することができるため、ＧＮＤの形状（眼鏡型無線通信機の形状）の影響を低減することができる上、ビームの方向の制御が容易になる。すなわち、上記構成では、前記第１及び第２のアンテナ素子は、ダイポールアンテナを構成することが好ましい。
【００８０】
また、前記第１及び第２のアンテナ素子は、形状および長さの少なくとも何れかが互いに異なってもよい。上記構成によれば、２つのアンテナの共振周波数を異ならせることにより、複数の周波数帯に対応させることができる。
【００８１】
また、前記第１及び第２のアンテナ素子は、ダイバーシチアンテナを構成してもよい。このように、第１のアンテナと第２のアンテナとでＭＩＭＯ等のダイバーシチアンテナを構成することにより、さらに送受信特性を向上させることができる。
【００８２】
また、本発明に係る眼鏡型無線通信機では、前記アンテナ素子には、前記左右の接眼部のうちの一方の接眼部の外周に沿って配置されている第３のアンテナ素子が含まれており、前記第３のアンテナ素子に電力を供給する給電線路は、前記左右の接眼部の間に設けられている無線部から前記第３のアンテナ素子に接続していてもよい。
【００８３】
上記構成によれば、左右の接眼部の間（例えば、ブリッジ）に無線部を実装した場合であっても、ユーザの頭部の影響によるシャドウイングが低減され得る場所にアンテナ素子を設けることができるため、電波の到来方向による送受信性能の劣化の解消、アンテナ利得の向上といった効果を好適に得ることができる。
【００８４】
また、上記眼鏡型無線通信機では、前記アンテナ素子には、前記第３のアンテナ素子とは異なる接眼部の外周に沿って配置されている第４のアンテナ素子が含まれており、前記第４のアンテナ素子に電力を供給する給電線路は、前記左右の接眼部の間に設けられている無線部から前記第４のアンテナ素子に接続していてもよい。
【００８５】
上記構成によれば、左右の接眼部の間（例えば、ブリッジ）に無線部を実装した場合であっても、ユーザの頭部の影響によるシャドウイングが低減され得る場所にアンテナ素子を設けることができるため、電波の到来方向による送受信性能の劣化の解消、アンテナ利得の向上といった効果を好適に得ることができる。特に、上記の構成によれば、ユーザの頭部の両サイドにアンテナ素子が配置されるため、開放空間をより広くすることができ、頭部のシャドーイングの影響をさらに低減することができる。これにより、電波の到来方向による送受信性能の劣化をより効果的に解消することができる。上記構成において、前記第３及び第４のアンテナ素子は、夫々、モノポールアンテナを構成することが好ましい。
【００８６】
また、前記第３及び第４のアンテナ素子は、形状および長さの少なくとも何れかが互いに異なってもよい。上記構成によれば、２つのアンテナの共振周波数を異ならせることにより、複数の周波数帯に対応させることができる。
【００８７】
また、前記第３及び第４のアンテナ素子は、ダイバーシチアンテナを構成してもよい。このように、第３のアンテナと第４のアンテナとでＭＩＭＯ等のダイバーシチアンテナを構成することにより、さらに送受信特性を向上させることができる。
【００８８】
また、本発明における眼鏡型無線通信機は、前記接眼部の周りを囲むリムを備え、前記アンテナ素子の少なくとも一部が、前記接眼部と、前記リムとの間に配置されていてもよい。また、前記アンテナ素子の少なくとも一部が、前記リムの中に形成されていてもよい。
【００８９】
上記の構成によれば、眼鏡型無線通信機においてアンテナ素子を好適に配置することができる。すなわち、アンテナ素子が外部に露出することがないため、眼鏡型無線通信機の美観、及び耐久性を向上させることができる。また、アンテナ素子が突き出すなど、眼鏡の体裁が崩れることを好適に防ぐことができる。
【００９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９１】
本発明は、３次元眼鏡、ゲーム用眼鏡、ヘッドマウントディスプレイ、ヘッドセット、ラジオ受信機、個人識別装置等の製造分野において利用することができる。
【符号の説明】
【００９２】
１、１’          眼鏡型無線通信機
１１                接眼部
１２                リム
１３                ブリッジ
１４                テンプル
１５                モダン
１６                智
１７                蝶番
１８                パッド
１９                クリングス
１００、１００’    アンテナ
１０１                電源部
１０２                制御部
１０３                無線部
１０４                給電線路
１０５、１０５’      アンテナ素子
（１０５ａ              第１のアンテナ素子）
（１０５ｂ              第２のアンテナ素子）
２、２’                眼鏡型無線通信機
２００、２００’    アンテナ
２０１                電源部
２０２                制御部
２０３                無線部
２０４                給電線路
２０５、２０５’      アンテナ素子
（２０５Ｒ、２０５Ｒ’  第３のアンテナ素子）
（２０５Ｌ、２０５Ｌ’  第４のアンテナ素子）
【図１】
2012086619.tif 000003
【図２】
2012086619.tif 000004
【図３】
2012086619.tif 000005
【図４】
2012086619.tif 000006
【図５】
2012086619.tif 000007
【図６】
2012086619.tif 000008
【図７】
2012086619.tif 000009
【図８】
2012086619.tif 000010
【図９】
2012086619.tif 000011
【図１０】
2012086619.tif 000012
【図１１】
2012086619.tif 000013
【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
左右の接眼部、パッド、智、テンプル、及び、無線通信を行うためのアンテナ素子を備えている眼鏡型無線通信機であって、
前記アンテナ素子が、前記接眼部の外周に沿った領域であって、前記智を含み、かつ前記パッドとの接続部を含まない領域に配置されていることを特徴とする眼鏡型無線通信機。
【請求項２】
前記アンテナ素子の半分以上の部分が、前記パッドよりも前記智に近い位置に配置されていることを特徴とする請求項１に記載の眼鏡型無線通信機。
【請求項３】
前記アンテナ素子には、前記智から前記接眼部の外周に沿って一方向に延びる第１のアンテナ素子が含まれており、
前記第１のアンテナ素子に電力を供給する給電線路は、前記テンプルに設けられている無線部から前記智を介して前記第１のアンテナ素子に接続していることを特徴とする請求項１または２に記載の眼鏡型無線通信機。
【請求項４】
前記アンテナ素子には、前記智から前記接眼部の外周に沿って前記第１のアンテナ素子とは反対方向に延びる第２のアンテナ素子がさらに含まれており、
前記第２のアンテナ素子に電力を供給する給電線路は、前記テンプルに設けられている無線部から前記智を介して前記第２のアンテナ素子に接続していることを特徴とする請求項３に記載の眼鏡型無線通信機。
【請求項５】
前記第１及び第２のアンテナ素子は、ダイポールアンテナを構成することを特徴とする請求項４に記載の眼鏡型無線通信機。
【請求項６】
前記第１及び第２のアンテナ素子は、形状および長さの少なくとも何れかが互いに異なることを特徴とする請求項４に記載の眼鏡型無線通信機。
【請求項７】
前記第１及び第２のアンテナ素子は、ダイバーシチアンテナを構成することを特徴とする請求項４に記載の眼鏡型無線通信機。
【請求項８】
前記アンテナ素子には、前記左右の接眼部のうちの一方の接眼部の外周に沿って配置されている第３のアンテナ素子が含まれており、
前記第３のアンテナ素子に電力を供給する給電線路は、前記左右の接眼部の間に設けられている無線部から前記第３のアンテナ素子に接続していることを特徴とする請求項１または２に記載の眼鏡型無線通信機。
【請求項９】
前記アンテナ素子には、前記第３のアンテナ素子とは異なる接眼部の外周に沿って配置されている第４のアンテナ素子が含まれており、
前記第４のアンテナ素子に電力を供給する給電線路は、前記左右の接眼部の間に設けられている無線部から前記第４のアンテナ素子に接続していることを特徴とする請求項８に記載の眼鏡型無線通信機。
【請求項１０】
前記第３及び第４のアンテナ素子は、夫々、モノポールアンテナを構成することを特徴とする請求項９に記載の眼鏡型無線通信機。
【請求項１１】
前記第３及び第４のアンテナ素子は、形状および長さの少なくとも何れかが互いに異なることを特徴とする請求項９に記載の眼鏡型無線通信機。
【請求項１２】
前記第３及び第４のアンテナ素子は、ダイバーシチアンテナを構成することを特徴とする請求項９に記載の眼鏡型無線通信機。
【請求項１３】
前記接眼部の周りを囲むリムを備え、
前記アンテナ素子の少なくとも一部は、前記接眼部と、前記リムとの間に配置されていることを特徴とする請求項１〜１２の何れか１項に記載の眼鏡型無線通信機。
【請求項１４】
前記接眼部の周りを囲むリムを備え、
前記アンテナ素子の少なくとも一部は、前記リムの中に形成されていることを特徴とする請求項１〜１２の何れか１項に記載の眼鏡型無線通信機。
【請求項１５】
前記アンテナ素子は、ユーザに直接接触する場所には設けられていないことを特徴とする請求項１に記載の眼鏡型無線通信機。
【請求項１６】
前記アンテナ素子は、前記パッドおよび前記テンプルの少なくとも何れか一方には設けられていないことを特徴とする請求項１に記載の眼鏡型無線通信機。
【請求項１７】
前記アンテナ素子には、前記智から前記接眼部の外周に沿って一方向に延びる第１のアンテナ素子と、前記智から前記接眼部の外周に沿って前記第１のアンテナ素子とは反対方向に延びる第２のアンテナ素子とがさらに含まれており、
前記第１のアンテナ素子および前記第２のアンテナ素子は、前記テンプルに設けられている無線部から前記智を介して電力が供給されることを特徴とする請求項１に記載の眼鏡型無線通信機。
【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
接眼部、パッド、智、及び、無線通信を行うためのアンテナ素子を備えている眼鏡型無線通信機であって、
前記アンテナ素子が、前記接眼部の外周に沿った領域であって、前記智を含み、かつ前記パッドとの接続部を含まない領域に配置されていることを特徴とする眼鏡型無線通信機。
【請求項２】
前記アンテナ素子の半分以上の部分が、前記パッドよりも前記智に近い位置に配置されていることを特徴とする請求項１に記載の眼鏡型無線通信機。
【請求項３】
テンプルをさらに備えており、
前記アンテナ素子には、前記智から前記接眼部の外周に沿って一方向に延びる第１のアンテナ素子が含まれており、
前記第１のアンテナ素子に電力を供給する給電線路は、前記テンプルに設けられている無線部から前記智を介して前記第１のアンテナ素子に接続していることを特徴とする請求項１または２に記載の眼鏡型無線通信機。
【請求項４】
前記アンテナ素子には、前記智から前記接眼部の外周に沿って前記第１のアンテナ素子とは反対方向に延びる第２のアンテナ素子がさらに含まれており、
前記第２のアンテナ素子に電力を供給する給電線路は、前記テンプルに設けられている無線部から前記智を介して前記第２のアンテナ素子に接続していることを特徴とする請求項３に記載の眼鏡型無線通信機。
【請求項５】
前記第１及び第２のアンテナ素子は、ダイポールアンテナを構成することを特徴とする請求項４に記載の眼鏡型無線通信機。
【請求項６】
前記第１及び第２のアンテナ素子は、形状および長さの少なくとも何れかが互いに異なることを特徴とする請求項４に記載の眼鏡型無線通信機。
【請求項７】
前記第１及び第２のアンテナ素子は、ダイバーシチアンテナを構成することを特徴とする請求項４に記載の眼鏡型無線通信機。
【請求項８】
前記接眼部には、左右の接眼部が含まれており、
前記アンテナ素子には、前記左右の接眼部のうちの一方の接眼部の外周に沿って配置されている第３のアンテナ素子が含まれており、
前記第３のアンテナ素子に電力を供給する給電線路は、前記左右の接眼部の間に設けられている無線部から前記第３のアンテナ素子に接続していることを特徴とする請求項１または２に記載の眼鏡型無線通信機。
【請求項９】
前記アンテナ素子には、前記第３のアンテナ素子とは異なる接眼部の外周に沿って配置されている第４のアンテナ素子が含まれており、
前記第４のアンテナ素子に電力を供給する給電線路は、前記左右の接眼部の間に設けられている無線部から前記第４のアンテナ素子に接続していることを特徴とする請求項８に記載の眼鏡型無線通信機。
【請求項１０】
前記第３及び第４のアンテナ素子は、夫々、モノポールアンテナを構成することを特徴とする請求項９に記載の眼鏡型無線通信機。
【請求項１１】
前記第３及び第４のアンテナ素子は、形状および長さの少なくとも何れかが互いに異なることを特徴とする請求項９に記載の眼鏡型無線通信機。
【請求項１２】
前記第３及び第４のアンテナ素子は、ダイバーシチアンテナを構成することを特徴とする請求項９に記載の眼鏡型無線通信機。
【請求項１３】
前記接眼部の周りを囲むリムを備え、
前記アンテナ素子の少なくとも一部は、前記接眼部と、前記リムとの間に配置されていることを特徴とする請求項１〜１２の何れか１項に記載の眼鏡型無線通信機。
【請求項１４】
前記接眼部の周りを囲むリムを備え、
前記アンテナ素子の少なくとも一部は、前記リムの中に形成されていることを特徴とする請求項１〜１２の何れか１項に記載の眼鏡型無線通信機。
【請求項１５】
前記アンテナ素子は、ユーザに直接接触する場所には設けられていないことを特徴とする請求項１に記載の眼鏡型無線通信機。
【請求項１６】
テンプルをさらに備えており、
前記アンテナ素子は、前記パッドおよび前記テンプルの少なくとも何れか一方には設けられていないことを特徴とする請求項１に記載の眼鏡型無線通信機。
【請求項１７】
テンプルをさらに備えており、
前記アンテナ素子には、前記智から前記接眼部の外周に沿って一方向に延びる第１のアンテナ素子と、前記智から前記接眼部の外周に沿って前記第１のアンテナ素子とは反対方向に延びる第２のアンテナ素子とがさらに含まれており、
前記第１のアンテナ素子および前記第２のアンテナ素子は、前記テンプルに設けられている無線部から前記智を介して電力が供給されることを特徴とする請求項１に記載の眼鏡型無線通信機。
【国際調査報告】
2012086619.tif 000014
2012086619.tif 000015
2012086619.tif 000016